(57)【要約】【課題】タッチパネル表示部にプリセットキーを表示する商品登録装置、精算装置において、情報画像の表示が簡単に設定できるとともに、簡単な操作で情報画像を表示できるようにする。【解決手段】第１領域と第２領域とをタッチパネル表示部の同一画面にて表示し、第１領域においてはプリセットされた選択肢画像を表示し、第２領域においては、第１領域においける選択肢画像のうち第１種選択肢画像が選択された場合、第１領域における選択肢画像の表示を維持し、第１種選択肢画像が対応するグループに属する下位選択肢画像を表示し、第１領域における選択肢画像のうち第２種選択肢画像が選択された場合、第１領域における選択肢画像の表示を維持し、第２種選択肢画像に対応する下位選択肢画像については非表示とし、選択された第２種選択肢画像に対応する情報画像を表示するように商品登録装置を構成する。【選択図】図１５
2019008837.tif 000002
【特許請求の範囲】
【請求項１】
第１領域と第２領域とをタッチパネル表示部の同一画面において表示し、
前記第１領域においてはプリセットされた選択肢画像を表示し、
前記第２領域においては、前記第１領域において配置される選択肢画像のうち第１種選択肢画像が選択された場合に、前記第１領域における選択肢画像の表示を維持した状態で、前記前記第１種選択肢画像が対応するグループに属する下位選択肢画像を表示し、前記第１領域において配置される選択肢画像のうち第２種選択肢画像が選択された場合に、前記第１領域における選択肢画像の表示を維持した状態で、前記第２種選択肢画像に対応する下位選択肢画像については非表示とし、選択された第２種選択肢画像に対応する情報画像を表示する、表示制御手段を備える
商品登録装置。
【請求項２】
前記表示制御手段は、
表示が維持される前記第１領域における選択肢画像のうちで、選択された選択肢画像の強調表示を行う
請求項１に記載の商品登録装置。
【請求項３】
前記表示制御手段は、
前記第１領域と前記第２領域とともに、取引の精算に関連するキーを含む第３領域を同一画面に表示する
請求項１または２に記載の商品登録装置。
【請求項４】
前記表示制御手段は、
前記第１領域と前記第２領域とともに、商品の登録に関連する情報を含む第４領域を同一画面に表示する
請求項１から３のいずれか一項に記載の商品登録装置。
【請求項５】
請求項１から４のいずれか一項に記載の商品登録装置により登録された商品について精算を行う精算装置。
【請求項６】
コンピュータを、請求項１から４のいずれか一項に記載の商品登録装置として機能させるためのプログラム。
【発明の詳細な説明】
【技術分野】
【０００１】
本発明は、商品登録装置、精算装置及びプログラムに関する。
【背景技術】
【０００２】
ＰＯＳ（Point Of Sales）端末などでは、タッチパネルとして構成された表示部に商品などが対応付けられたプリセットキーを表示することが行われている。
店員（オペレータ）は、顧客が注文や買い上げを行った商品を計上していくにあたり、商品ごとに対応付けられたプリセットキーを操作する。
ＰＯＳ端末装置は、操作されたボタンに応じた商品を買上商品として登録する。そして、ＰＯＳ端末装置は、登録された商品の価格の計上や、顧客の支払金額の計算などをはじめとする、商品販売に関連したデータ処理を行う。
【０００３】
上記のようにタッチパネルにプリセットキーを表示するＰＯＳ端末装置では、例えばプリセットキーのレイアウトやプリセットキーへの商品の割り当てなどを高い自由度で設定可能である。
例えば、タッチパネル上に商品グループのプリセットキーを表示する領域と、商品グループにおける商品アイテムのプリセットキーが表示される領域とを配置し、商品グループのプリセットキーに対する操作に応じて、操作されたプリセットキーが対応するグループの商品アイテムのプリセットキーが表示されるようにした操作パネルの構成が知られている（例えば、特許文献１参照）。
【０００４】
このように、タッチパネルにプリセットキーを表示させるＰＯＳ端末装置は、例えば、機械的なキーに商品を割り当てるようにされたＰＯＳ端末装置と比較して、高い汎用性を有し、使い勝手もよい。
【先行技術文献】
【特許文献】
【０００５】
【特許文献１】特開２０００−３３９５５０号公報
【発明の概要】
【発明が解決しようとする課題】
【０００６】
ＰＯＳ端末装置を操作している店員が、例えば期間限定的に発行された割引券を使用した割引きを行う場合のＰＯＳ端末装置に対する操作の確認を行ったり、企画商品などの客からの問い合わせに応じたりするために、マニュアルや企画商品のパンフレットなどを参照したいようなときがある。
このような場合、店員は、マニュアルなどの冊子や用紙に印刷されたパンフレットなどを手に持って、そこに書かれた内容を確認することになるため、例えば商品登録や精算におけるＰＯＳ端末装置に対する操作の流れの妨げになる場合がある。
【０００７】
本発明は、このような事情に鑑みてなされたもので、タッチパネル表示部にプリセットキーを表示する商品登録装置、精算装置において、情報画像の表示が簡単に設定できるとともに、簡単な操作で情報画像を表示できるようにすることを目的とする。
【課題を解決するための手段】
【０００８】
上述した課題を解決するための本発明の一態様は、第１領域と第２領域とをタッチパネル表示部の同一画面において表示し、前記第１領域においてはプリセットされた選択肢画像を表示し、前記第２領域においては、前記第１領域において配置される選択肢画像のうち第１種選択肢画像が選択された場合に、前記第１領域における選択肢画像の表示を維持した状態で、前記前記第１種選択肢画像が対応するグループに属する下位選択肢画像を表示し、前記第１領域において配置される選択肢画像のうち第２種選択肢画像が選択された場合に、前記第１領域における選択肢画像の表示を維持した状態で、前記第２種選択肢画像に対応する下位選択肢画像については非表示とし、選択された第２種選択肢画像に対応する情報画像を表示する、表示制御手段を備える商品登録装置である。
【０００９】
本発明の一態様は、上記の商品登録装置により登録された商品について精算を行う精算装置である。
本発明の一態様は、コンピュータを、上記の商品登録装置として機能させるためのプログラムである。
【発明の効果】
【００１０】
以上説明したように、本発明によれば、タッチパネル表示部にプリセットキーを表示する商品登録装置、精算装置において、情報提示画面の表示が簡単に設定できるとともに、簡単な操作で情報提示画面を表示できるようになるという効果が得られる。
【図面の簡単な説明】
【００１１】
【図１】本実施形態におけるＰＯＳ端末装置の外観例を示す図である。
【図２】本実施形態におけるＰＯＳ端末装置にて表示される商品登録画面の態様例を示す図である。
【図３】本実施形態におけるＰＯＳ端末装置にて表示される商品登録画面の態様例を示す図である。
【図４】本実施形態におけるＰＯＳ端末装置にて表示される商品登録画面の態様例を示す図である。
【図５】本実施形態におけるＰＯＳ端末装置にて表示されるグループリスト画面の態様例を示す図である。
【図６】本実施形態におけるＰＯＳ端末装置にて表示されるレイアウト設定画面の態様例を示す図である。
【図７】本実施形態におけるＰＯＳ端末装置にて表示されるレイアウト設定画面の態様例を示す図である。
【図８】本実施形態におけるＰＯＳ端末装置にて表示されるキー登録画面の態様例を示す図である。
【図９】本実施形態におけるＰＯＳ端末装置にて表示されるレイアウト設定画面の態様例を示す図である。
【図１０】本実施形態におけるＰＯＳ端末装置にて表示される画像設定画面の態様例を示す図である。
【図１１】本実施形態におけるＰＯＳ端末装置にて表示されるレイアウト設定画面の態様例を示す図である。
【図１２】本実施形態におけるＰＯＳ端末装置の構成例を示す図である。
【図１３】本実施形態における商品マスタの一例を示す図である。
【図１４】本実施形態における商品登録画面設定情報の一例を示す図である。
【図１５】本実施形態におけるＰＯＳ端末装置が商品登録画面の設定に関連して実行する処理手順例を示すフローチャートである。
【図１６】本実施形態におけるＰＯＳ端末装置が商品登録画面の表示に関連して実行する処理手順例を示すフローチャートである。
【発明を実施するための形態】
【００１２】
以下、本発明の一実施形態による商品登録装置及び精算装置としてのＰＯＳ端末装置について図面を参照して説明する。
本実施形態のＰＯＳ端末装置は、タッチパネルとして構成される店員用の表示部（タッチパネル表示部）を備える。タッチパネル表示部には、ＰＯＳ端末装置が使用される店舗に対応のユーザによって予め設定されたプリセットキーを表示させることができる。
本実施形態のＰＯＳ端末装置は、商品に応じたプリセットキーが店員（オペレータ）によって操作されることによって、客から注文を受けた商品を登録する。また、本実施形態のＰＯＳ端末装置は、登録された商品についての精算処理を行う。
【００１３】
図１は、本実施形態におけるＰＯＳ端末装置１の外観例を示す図である。図１（ａ）はＰＯＳ端末装置１の正面図である。図１（ｂ）はＰＯＳ端末装置１の側面図である。
【００１４】
ＰＯＳ端末装置１は、レシート発行口１０９、スキャナ部１１０、タッチパネル表示部１１２（表示手段の一例）、キー操作部１１４、客用表示部１１６及びカードリーダ部１１８を備える。
【００１５】
レシート発行口１０９は、内蔵するレシート印字部（ジャーナルプリンタ）によって印刷されたレシートを排出する。
スキャナ部１１０は、商品に付されたバーコードを読み取る。
タッチパネル表示部１１２は、液晶表示パネルとタッチパッドとが組み合わされた構成であり、画面に対して指などの操作体を触れることによる操作を受け付けることが可能なようになっている。また、タッチパネル表示部１１２は、登録された商品や会計に関する金額などをはじめ、商品販売に関連する各種の情報を表示することができる。
キー操作部１１４は、ＰＯＳ端末装置１が備えるメカニカルなキーを備える部位である。
客用表示部１１６は、登録された商品や会計に関する金額などをはじめ、商品販売に関連する各種の情報を表示する。
カードリーダ部１１８は、クレジットカードなどの情報を読み取る。
【００１６】
次に、図２〜図４を参照して、本実施形態のＰＯＳ端末装置１のタッチパネル表示部１１２における商品登録モード時の表示態様と店員（オペレータ）による操作例について説明する。商品登録モードは、操作に応じて客から注文を受けた商品を登録し、精算を行うＰＯＳ端末装置１の動作モードである。なお、以降の説明において、ＰＯＳ端末装置１は飲食店に設置され、ＰＯＳ端末装置１に対しては客から注文されたメニューを登録する操作が行われるようにされた場合を例に挙げる。
【００１７】
図２においては、商品登録モード時においてタッチパネル表示部１１２に表示される商品登録画面の一例が示されている。商品登録画面は、右側のプリセットキー領域ＡＲ１と左側の付帯情報画面領域ＡＲ２との２つの領域を含む。
【００１８】
商品登録モード時におけるプリセットキー領域ＡＲ１は、客から注文を受けた商品の登録に関連してプリセットキーに対する操作が行われる領域である。
同図のプリセットキー領域ＡＲ１においては、第１プリセット領域ＡＲ１１、第２プリセット領域ＡＲ１２、第３プリセット領域ＡＲ１３が配置されている。
【００１９】
第１プリセット領域ＡＲ１１は、第１プリセット領域ＡＲ１１に対応する特定のグループに属することが設定された項目ごとに応じたプリセットキーＫＹが配置される。
【００２０】
第２プリセット領域ＡＲ１２は、第１プリセット領域ＡＲ１１においてタッチ操作により選択されたプリセットキーＫＹのグループに属する項目ごとのプリセットキーＫＹが配置される。
【００２１】
具体的に、同図の例では、第１プリセット領域ＡＲ１１における「メイン画面」のグループを示すプリセットキーＫＹがタッチ操作により選択されている状態が示されている。
なお、「メイン画面」のプリセットキーＫＹは、所定の態様により強調表示が行われることで、現在、「メイン画面」としてのグループの選択が行われている状態にあることが示される。
【００２２】
第１プリセット領域ＡＲ１１において「メイン画面」のグループに対応するプリセットキーＫＹが選択された状態にあるとき、第２プリセット領域ＡＲ１２には、「メイン画面」のグループに属する項目ごとに応じたプリセットキーＫＹが表示される。
具体的に、同図の場合には、「メイン画面」のグループに属する項目として、「ミートソース」、「チーズピザ」、「パスタランチセット」、「ピザランチセット」、「ステーキランチセット」・・・のように、個別のメニューとしての商品を示す複数のプリセットキーＫＹが配列されている。
【００２３】
また、第３プリセット領域ＡＲ１３は、第１プリセット領域ＡＲ１１に対応する特定のグループに属することが設定された項目ごとに応じたプリセットキーＫＹが配置される。
【００２４】
また、第１プリセット領域ＡＲ１１、第２プリセット領域ＡＲ１２、第３プリセット領域ＡＲ１３は、それぞれ、ページ構造とすることができる。ページ構造とすることにより、例えば１つのプリセット領域において一度に配置可能なプリセットキーＫＹの数よりも多いプリセットキーＫＹを設定することができる。
【００２５】
付帯情報画面領域ＡＲ２は、所定の付帯情報が表示される領域である。同図のように商品登録画面が表示されている場合、付帯情報画面領域ＡＲ２（商品登録関連情報領域の一例）には、付帯情報として会計画面が表示される。会計画面は、商品の登録に関連する情報として、プリセットキー領域ＡＲ１に対して行われる商品登録操作に応じて登録された商品の商品名及び価格が表示される。また、現時点において登録されている商品の合計金額である小計が表示される。また、現時点において登録されている商品に対応する合計金額が表示される。
【００２６】
同図の付帯情報画面領域ＡＲ２における会計画面は、以下のような会計の状況にあることを示す。つまり、会計画面は、図示するように、「メイン画面」のグループにおける「ミートソース」と「チーズピザ」の各メニューが登録されており、現時点でのミートソースとチーズピザの登録に応じた小計が１３００円で合計が１４３０円であることを示している。
【００２７】
同図に示される付帯情報画面領域ＡＲ２における会計画面の内容は、以下のような商品登録操作が行われた結果に対応する。
つまり、この場合の客は、ミートソースとチーズピザを注文している。ＰＯＳ端末装置１を操作する店員（オペレータ）は、ミートソースとチーズピザの注文に応じて、第１プリセット領域ＡＲ１１における「メイン画面」のプリセットキーＫＹを操作することにより、同図に示すように、第２プリセット領域ＡＲ１２に、「メイン画面」のグループに属するメニューのプリセットキーＫＹを表示させる。
オペレータは、上記のように第２プリセット領域ＡＲ１２において表示された「メイン画面」のグループに属するメニューのプリセットキーＫＹのうちから、まず、「ミートソース」のプリセットキーＫＹを操作する。つまり、オペレータは、「ミートソース」としてのメニュー（商品）を登録する操作を行う。「ミートソース」のプリセットキーＫＹに応じて、付帯情報画面領域ＡＲ２における会計画面には、「ミートソース」に対応する商品名と価格が表示されるとともに、「ミートソース」のみの登録に応じた小計と合計とが表示される。
次に、オペレータは、上記のように第２プリセット領域ＡＲ１２において表示された「チーズピザ」のプリセットキーＫＹを操作する。「チーズピザ」のプリセットキーＫＹの操作に応じて、会計画面においては、「ミートソース」に対応する商品名と価格の下に、さらに「チーズピザ」の商品名と価格が表示される。また、これとともに、会計画面においては、「ミートソース」と「チーズピザ」の２つのメニューに応じた小計と合計とが表示される状態となる。つまり、同図に示される会計画面の状態となる。
【００２８】
上記のように「ミートソース」と「チーズピザ」の注文に応じたメニューの登録を行った後に、同じ客からさらに「フライドポテトＬサイズ」の注文があった場合、オペレータは、以下のように商品登録のための操作を行う。
ここで、図２に示されるように、第１プリセット領域ＡＲ１１の１行４列目においては、「フライドポテト」のグループに対応するプリセットキーＫＹが配置されている。「フライドポテトＬサイズ」のメニューは、「フライドポテト」のグループに属するメニューである。そこで、この場合のオペレータは、「フライドポテトＬサイズ」を登録するにあたり、第１プリセット領域ＡＲ１１における「フライドポテト」のプリセットキーＫＹに対するタッチ操作を行う。
【００２９】
「フライドポテト」のプリセットキーＫＹに対するタッチ操作に応じて、商品登録画面は、図２から図３に示す状態に変化する。
つまり、第１プリセット領域ＡＲ１１においては、「メイン画面」のプリセットキーＫＹが強調表示された状態から、「フライドポテト」のプリセットキーＫＹが強調表示された状態に変化する。つまり、第１プリセット領域ＡＲ１１は、「メイン画面」のグループが選択されたことを示す状態から、「フライドポテト」のグループが選択されていることを示す状態に変化する。
【００３０】
上記のように第１プリセット領域ＡＲ１１の表示が変化したのに応じて、第２プリセット領域ＡＲ１２は、「フライドポテト」のグループに属する３つのメニューごとのプリセットキーが表示される状態に変化する。つまり、第２プリセット領域ＡＲ１２においては、「フライドポテトＬサイズ」、「フライドポテトＭサイズ」、「フライドポテトＳサイズ」の各メニューに対応する３つのプリセットキーＫＹが表示される。
【００３１】
同図の商品登録画面が表示された状態のもとで、オペレータは、第２プリセット領域ＡＲ１２における３つのプリセットキーＫＹのうち、注文された「フライドポテトＬサイズ」のメニューを示す１行１列目のプリセットキーＫＹに対するタッチ操作を行う。「フライドポテトＬサイズ」のプリセットキーＫＹに対するタッチ操作に応じて、「フライドポテトＬサイズ」のメニューがさらに追加されるようにして登録される。
【００３２】
そして、上記の操作に応じて、付帯情報画面領域ＡＲ２における会計画面は、同図に示すように、これまで表示されていた「ミートソース」、「チーズピザ」に加えて、「フライドポテトＬサイズ」の商品名と価格がさらに表示された状態となる。つまり、会計画面においては、「ミートソース」、「チーズピザ」、「フライドポテト」のメニューが登録されたことが示される。これに伴い、同じ会計画面においては、「ミートソース」、「チーズピザ」、「フライドポテトＬサイズ」の３つのメニューに応じた小計と合計とが表示された状態となる。
【００３３】
このように、本実施形態においては、第１プリセット領域ＡＲ１１において、予め設定されたグループごとに対応して配置されたプリセットキーＫＹに対する操作によって、グループを選択することができるようになっている。また、第２プリセット領域ＡＲ１２には選択されたグループに属するメニューごとに応じたプリセットキーＫＹが配列され、第２プリセット領域ＡＲ１２におけるプリセットキーＫＹに対する操作により、注文されたメニューの登録が行われる。
即ち、本実施形態においては、商品登録にあたり、メニューをグループ化し、グループを選択したうえで、選択したグループに属するメニューを登録するようにされている。これにより、例えば、メニューが多数であっても画面上でメニューを効率よく管理し、分かりやすく簡単な操作によってメニュー登録を行うことができる。
【００３４】
また、例えば割引期間であることに応じた値引きサービスや、客によるクーポン券や無料券などの利用に応じた値引きサービスを行う場合がある。この場合、オペレータは、値引きサービスに応じて通常とは異なる操作をＰＯＳ端末装置１に行う必要があることから、オペレータ自身がどのような操作手順であるのかを確認したい場合がある。このような場合、一般には、ＰＯＳ端末装置１の近傍に、サービスに応じた操作手順を印刷したシートなどを用意しておき、店員は、このシートを見て操作手順を確認する。
しかし、オペレータが客の前で上記のようにシートを見て手順を確認することは好ましいことではない。
そこで、本実施形態においては、サービスに応じた操作手順を示した画像などの画像データをＰＯＳ端末装置１に記憶可能なようにされている。そのうえで、ＰＯＳ端末装置１は、操作に応じて記憶された画像を表示させることができる。なお、画像データは、例えばＰＯＳ端末装置１の上位の情報処理装置であるストアコントローラなどのように、ＰＯＳ端末装置１の外部の装置に記憶されてもよい。
【００３５】
具体例として、例えば図３にて説明したようにミートソース、チーズピザ、フライドポテトＬサイズを注文した客について値引きを適用した精算を行うにあたり、オペレータが、値引きに応じたＰＯＳ端末装置１の操作手順を確認する場合について説明する。
【００３６】
ここで、図３の第１プリセット領域ＡＲ１１における２行１列目には、「値引きマニュアル」のグループに対応するプリセットキーＫＹが配置されている。無料券を使用した割引きに応じたＰＯＳ端末装置１の操作手順を確認するにあたり、オペレータは、「値引きマニュアル」のプリセットキーＫＹに対するタッチ操作を行う。
「値引きマニュアル」のプリセットキーＫＹに対するタッチ操作に応じて、商品登録画面は、図３から図４の状態に移行する。
つまり、第１プリセット領域ＡＲ１１においては、「フライドポテト」のプリセットキーＫＹが強調表示された状態から、「値引きマニュアル」のプリセットキーＫＹが強調表示される状態に変化することで、「値引きマニュアル」のグループが選択されていることを示す。
【００３７】
上記のように第１プリセット領域ＡＲ１１の表示が変化したのに応じて、第２プリセット領域ＡＲ１２において、プリセットキーＫＹに代えて、値引きマニュアルの情報画像が表示される。
このように第２プリセット領域ＡＲ１２において値引きマニュアルの情報画像が表示されることで、オペレータは、値引きに応じた操作手順を確認することができる。この場合、オペレータは、値引きに応じた操作手順の確認を、客に気づかれること無く行うことができる。また、ＰＯＳ端末装置１に対する操作を中断して操作手順の書かれた紙などを探す必要もないので、オペレータは商品登録や精算のための作業を円滑に進めていくことができる。
【００３８】
なお、詳細な説明は省略するが、第３プリセット領域ＡＲ１３においては、「小計」、「現計」などの精算に応じたプリセットキーＫＹが配置されている。精算にあたり、オペレータは、適宜、第３プリセット領域ＡＲ１３に配置されたプリセットキーＫＹに対するタッチ操作を行う。
【００３９】
続いて、図２〜図４にて説明した商品登録画面を設定するための操作手順例として、フライドポテトのグループについて設定を行う場合の操作手順例ついて、図５〜図１１を参照して説明する。
オペレータは、ＰＯＳ端末装置１に対する所定操作によって、図５に示すグループリスト画面をタッチパネル表示部１１２に表示させることができる。グループリスト画面は、オペレータによって設定されたグループのリストを示す。同図のグループリスト画面においては、設定されたグループごとに、グループＩＤとグループ名とが示される。
【００４０】
この場合において、オペレータが設定の対象とするグループは、「フライドポテト」のグループである。そこで、この場合のオペレータは、同図のグループリスト画面において示される「フライドポテト」のグループを選択する操作を行う。「フライドポテト」のグループを選択する操作は、例えばグループリスト画面においてグループ名が「フライドポテト」を示す行をタッチする操作である。
【００４１】
「フライドポテト」のグループを選択する操作に応じて、タッチパネル表示部１１２には、図６に示す「フライドポテト」のグループについてのレイアウト設定画面が表示される。
グループを選択する操作に応じて初期表示されるレイアウト設定画面の付帯情報画面領域ＡＲ２には、第１レイアウト操作画面が表示される。第１レイアウト操作画面は、選択されたグループに属する項目ごとに対応して第２プリセット領域ＡＲ１２に表示されるべきプリセットキーのスタイル設定（プリセットキーの外形的なスタイル、サイズなどの設定）のための操作が行われる画面である。
第１レイアウト設定画面のグループ名エリアＡＲ３１には、「フライドポテト」の文字が表示されることで、設定対象のグループが「フライドポテト」であることが示される。
第１レイアウト設定画面においては、レイアウトボタンＢＴ１が強調表示されることで、レイアウト設定画面が表示中であることを示す。
【００４２】
また、プリセットキー領域ＡＲ１においては、第２プリセット領域ＡＲ１２がアクティブな状態で表示されることで、第２プリセット領域ＡＲ１２についての設定が可能であることが示される。
一方、プリセットキー領域ＡＲ１において、残る第１プリセット領域ＡＲ１１と第３プリセット領域ＡＲ１３は、例えばグレーアウトの状態で表示されることで、設定対象ではないことが示される。
【００４３】
また、第１レイアウト操作画面においては第２レイアウト操作画面に移行するためのレイアウト操作画面移行ボタンＢＴ１１が配置されている。レイアウト操作画面移行ボタンＢＴ１１に対してタッチ操作が行われるのに応じて、付帯情報画面領域ＡＲ２は、図７に示す第２レイアウト操作画面に移行する。
【００４４】
図７の付帯情報画面領域ＡＲ２における第２レイアウト操作画面は、第２プリセット領域ＡＲ１２のレイアウトと、第２プリセット領域ＡＲ１２におけるプリセットキー（ボタン）のレイアウトとを設定する操作が行われる画面である。
第２レイアウト操作画面において、「Ｘ」、「Ｙ」の各項目の領域は、それぞれ、商品登録画面における第２プリセット領域ＡＲ１２の始点のＸ座標とＹ座標を設定する操作が行われる領域である。
「幅」、「高」の各項目の領域は、それぞれ、商品登録画面における第２プリセット領域ＡＲ１２の幅と高さを設定する操作が行われる領域である。
自動レイアウトの項目の領域は、第２プリセット領域ＡＲ１２の自動レイアウトの有効、無効を設定する操作が行われる領域である。
「行」、「列」の各項目の領域は、それぞれ、第２プリセット領域ＡＲ１２に配置されるプリセットキーＫＹの行数、列数を設定する操作が行われる領域である。
「Ｘ間隔」、「Ｙ間隔」の各項目の領域は、それぞれ、第２プリセット領域ＡＲ１２において隣接するプリセットキーＫＹの横方向における間隔と、縦方向における間隔とを設定する操作が行われる領域である。
「ボタン幅」、「ボタン高」の各項目の領域は、それぞれ、第２プリセット領域ＡＲ１２におけるプリセットキーＫＹの幅と高さを設定する操作が行われる領域である。
また、テンキー（クリアキー）は、上記の各項目において設定される数値を直接入力する操作を行うのに用いられる。
【００４５】
図３に示したように、「フライドポテト」のグループにおいては、「フライドポテトＬサイズ」、「フライドポテトＭサイズ」、「フライドポテトＳサイズ」の３つのメニューの項目に対応した３つのプリセットキーＫＹが第２プリセット領域ＡＲ１２において配置される。そこで、同図では、第２レイアウト操作画面に対する操作によって、第２プリセット領域ＡＲ１２において、１行３列による３つのプリセットキーＫＹを配置するように設定した例を示している。
【００４６】
上記のように第２レイアウト操作画面において１行３列による３つのプリセットキーＫＹを配置する設定を行った後、オペレータは、以下のようにして、３つのプリセットキーＫＹに対応させるべき項目（メニュー）を設定する操作を行う。
このために、オペレータは、第２レイアウト操作画面において表示される、戻るボタンＢＴ２１に対するタッチ操作を行って、図６のレイアウト設定画面に戻す。そのうえで、オペレータは、付帯情報画面領域ＡＲ２におけるキー登録ボタンＢＴ２に対するタッチ操作を行う。
【００４７】
キー登録ボタンＢＴ２に対するタッチ操作に応じて、付帯情報画面領域ＡＲ２は、図８に示される態様のキー登録画面が表示される状態に移行する。キー登録画面は、図７の第２レイアウト操作画面において設定されたプリセットキーＫＹごとに対応する項目（メニュー）を設定する操作が行われる画面である。
同図のキー登録画面においては、キー登録ボタンＢＴ２が強調表示されており、これにより、現在、キー登録画面が表示されていることが示される。
【００４８】
キー登録画面においてプリセットキーＫＹごとに対応する項目としての商品（メニュー）を設定するにあたり、オペレータは、まず、第２プリセット領域ＡＲ１２において１行３列により配列された３つのプリセットキーのうちから、例えば１行１列目のプリセットキーＫＹを選択する。
そのうえで、オペレータは、付帯情報画面領域ＡＲ２のキー登録画面に配置された商品リストボタンＢＴ３１に対するタッチ操作を行う。商品リストボタンＢＴ３１に対するタッチ操作に応じて、図示は省略するが、商品リスト画面が表示される。商品リスト画面においては、店舗にて扱うメニューであって、ＰＯＳ端末装置１において登録が行われるべきメニューのリストが提示される。商品リスト画面は、例えばＰＯＳ端末装置１が記憶する商品マスタに基づいて表示される。
【００４９】
そこで、オペレータは、表示された商品リスト画面において提示されるメニューのうちから、「フライドポテトＬサイズ」を選択する操作を行う。「フライドポテトＬサイズ」を選択する操作が行われるのに応じて、第２プリセット領域ＡＲ１２における１行１列目のプリセットキーＫＹに対して「フライドポテトＬサイズ」が対応付けられたことになる。このとき、第２プリセット領域ＡＲ１２における１行１列目のプリセットキーＫＹは、無地の状態から「フライドポテトＬサイズ」が表示される状態に変化し、「フライドポテトＬサイズ」としてのメニューが対応付けられていることを示す。
【００５０】
次に、オペレータは、第２プリセット領域ＡＲ１２における１行２列目のプリセットキーＫＹを選択する操作を行う。
そのうえで、オペレータは、商品リスト画面において提示されるメニューのうちから、「フライドポテトＭサイズ」を選択する操作を行う。「フライドポテトＭサイズ」を選択する操作が行われるのに応じて、第２プリセット領域ＡＲ１２における１行２列目のプリセットキーＫＹは、「フライドポテトＭサイズ」が対応付けられたことになる。
このとき、第２プリセット領域ＡＲ１２における１行２列目のプリセットキーＫＹは、無地の状態から「フライドポテトＭサイズ」が表示される状態に変化し、「フライドポテトＭサイズ」が対応付けられていることを示す。
【００５１】
さらに、オペレータは、第２プリセット領域ＡＲ１２における１行３列目のプリセットキーＫＹを選択する操作を行う。
そのうえで、オペレータは、商品リスト画面において提示されるメニューのうちから、「フライドポテトＳサイズ」を選択する操作を行う。「フライドポテトＳサイズ」を選択する操作が行われるのに応じて、第２プリセット領域ＡＲ１２における１行３列目のプリセットキーＫＹは、「フライドポテトＳサイズ」が対応付けられたことになる。
このとき、第２プリセット領域ＡＲ１２における１行３列目のプリセットキーＫＹは、無地の状態から「フライドポテトＳサイズ」が表示される状態に変化し、「フライドポテトＳサイズ」が対応付けられていることを示す。
【００５２】
このようにして、本実施形態のＰＯＳ端末装置１では、「フライドポテト」のグループにおいて「フライドポテトＬサイズ」、「フライドポテトＭサイズ」、「フライドポテトＳサイズ」が属するように設定することができる。また、「フライドポテト」のグループに対応して、第２プリセット領域ＡＲ１２における３つのプリセットキーＫＹに「フライドポテトＬサイズ」、「フライドポテトＭサイズ」、「フライドポテトＳサイズ」のそれぞれが対応付けられるようにキー登録設定を行うことができる。
そして、上記のように設定が行われた結果、商品登録に際しては、図３にて説明したように、「フライドポテト」のグループ選択に応じた商品登録画面の表示が可能となる。
【００５３】
また、プリセット領域に背景画像を設定するための操作手順例について、図４に例示した値引きマニュアルの情報画像を設定する場合を例に挙げて説明する。
この場合、オペレータは、図５のグループリスト画面をタッチパネル表示部１１２に表示させたうえで、表示されたグループリスト画面において示される「値引きマニュアル」のグループを選択する操作を行う。
【００５４】
「値引きマニュアル」のグループを選択する操作に応じて、タッチパネル表示部１１２には、図６のグループ名エリアＡＲ３１において、「フライドポテト」に代えて「値引きマニュアル」と表示された、「値引きマニュアル」のグループについてのレイアウト設定画面が表示される。
ここで、図４の第２プリセット領域ＡＲ１２に表示される値引きマニュアルの情報画像の画像データは、ＰＯＳ端末装置１に記憶されている。
そこで、オペレータは、「値引きマニュアル」のグループに対応する背景画像として、値引きマニュアルの情報画像を設定するために、レイアウト設定画面におけるオプションボタンＢＴ１２（図６）を操作する。
【００５５】
オプションボタンＢＴ１２に対する操作が行われたのに応じて、レイアウト設定画面における付帯情報画面領域ＡＲ２は、図９に示すオプション設定操作画面の表示に変更される。
オプション設定操作画面に対する操作によっては、レイアウト設定対象のグループに応じたプリセットキーが配置されるプリセット領域における背景画像を設定できる。即ち、この場合のオプション設定操作画面に対する操作によっては、「値引きマニュアル」のグループに応じたプリセットキーが配置される第２プリセット領域ＡＲ１２における背景画像を設定できる。
【００５６】
ここで、オプション設定操作画面における背景画像引継設定ボタンＢＴ４１は、レイアウト設定対象のグループに対して親となるグループに対応して設定された背景画像を引き継ぐか否かを設定する操作を行うためのボタンである。同図の場合には、親のグループに対応して設定された背景画像を引き継がないことが設定されている。
【００５７】
オペレータは、「値引きマニュアル」のグループに対応して第２プリセット領域ＡＲ１２に値引きマニュアルの情報画像を背景画像として設定するにあたり、オプション設定操作画面における画像設定ボタンＢＴ４２に対する操作を行う。
画像設定ボタンＢＴ４２に対する操作に応じて、タッチパネル表示部１１２には画像設定画面が表示される。
【００５８】
図１０は、画像設定画面の一態様例を示している。同図の画像設定画面には、ＰＯＳ端末装置１に記憶されている画像データのリストが示される。画像設定画面の画像リストにおいては、画像データごとに、ファイル名、ファイルタイプ及び更新日付が示されている。
オペレータは、画像設定画面において提示される画像データのリストのうちから、背景画像として表示させる画像データを選択する。この場合、オペレータは、画像データのリストのうちから値引きマニュアルの情報画像の画像データを選択する。画像データのリストにおいて、オペレータの操作によって選択された画像データの行については、所定の強調表示が行われる。
【００５９】
オペレータは、画像データを選択したうえで、決定ボタンＢＴ５１を操作する。決定ボタンＢＴ５１が操作されるのに応じて、同図の画像設定画面の表示は消去され、図９の表示に戻る。この際、オプション設定操作画面の画像設定ボタンＢＴ４２の画像ファイル名エリアＡＲ４２には、決定ボタンＢＴ５１が操作されたときに選択されていた画像データのファイル名が表示される。つまり、画像ファイル名エリアＡＲ４２は、画像データのファイル名を表示することによって背景画像として設定された画像を示す。
そして、第２プリセット領域ＡＲ１２には、画像ファイル名エリアＡＲ４２においてファイル名が示される画像データの画像が背景画像として表示された状態となる。
具体的に、この場合の画像ファイル名エリアＡＲ４２には値引きマニュアルの情報画像の画像データのファイル名が示され、第２プリセット領域ＡＲ１２には、値引きマニュアルの情報画像が背景画像として表示された状態となる。
【００６０】
上記の操作により、「値引きマニュアル」のグループに対応して、第２プリセット領域ＡＲ１２に、値引きマニュアルの情報画像が背景画像として設定される。
【００６１】
なお、オペレータは、図１０の画像設定画面が表示された状態のもとで画像データの選択を中止したい場合にはキャンセルボタンＢＴ５２を操作すればよい。キャンセルボタンＢＴ５２を操作することによっては、背景画像の設定内容が更新されることなく、図９のレイアウト設定画面に戻る。
【００６２】
上記のように背景画像として設定された値引きマニュアルの情報画像を図４のように表示させるには、第２プリセット領域ＡＲ１２において背景画像を表示させる一方で、プリセットキーＫＹが非表示となるように設定することになる。プリセット領域におけるプリセットキーＫＹを非表示とする設定は、例えば下記のようにして行われる。
ここでは、プリセット領域において少なくとも１つのプリセットキーＫＹを配置するように仕様として定められている場合を例に挙げる。この場合、プリセット領域においてプリセットキーＫＹを１つ配置させる設定を行ったうえで、設定した１つのプリセットキーＫＹには項目を対応付けないようにすることで、プリセット領域におけるプリセットキーＫＹを非表示とするように設定できる。
【００６３】
この場合、まず、オペレータは、プリセット領域において１行１列による１つのプリセットキーＫＹが配置される設定となるように、レイアウト設定操作を行う。この場合のレイアウト情報は、１行１列による１つのプリセットキーＫＹが配置されるべきことを指定する。このためのレイアウト設定操作は、第２レイアウト操作画面（図７）における「行」の項目について「１」を設定し、「列」の項目についても「１」を設定するという操作である。
【００６４】
そのうえで、上記のように設定された１つのプリセットキーＫＹについては項目が対応付けられない設定となるようにキー登録の操作を行う。このためには、プリセット領域に配置させたプリセットキーＫＹに対して、図８にて説明した項目の設定のための操作を行わないようにすればよい。
このようなレイアウト設定操作によって、「値引きマニュアル」のグループに対応して、第２プリセット領域ＡＲ１２に値引きマニュアルの情報画像が背景画像として設定されるとともに、第２プリセット領域ＡＲ１２におけるプリセットキーＫＹは非表示として設定される。これにより、第１プリセット領域ＡＲ１１における「値引きマニュアル」のプリセットキーＫＹを操作することによって、図４のように第２プリセット領域ＡＲ１２においてプリセットキーＫＹを表示させずに、値引きマニュアルの情報画像を表示させることができる。
【００６５】
なお、プリセット領域におけるプリセットキーＫＹを非表示とする設定は、上記の例に限定されない。例えば、プリセット領域において配置されるプリセットキーＫＹの数を「０（０行０列）」として設定することにより、プリセットキーＫＹが非表示となるようにしてもよい。
【００６６】
ここで、図６〜図９に示したように、フライドポテトのグループについてのレイアウト設定画面またはキー登録画面が表示されている状態のプリセットキー領域ＡＲ１においては、設定対象となる第２プリセット領域ＡＲ１２がアクティブな状態である。一方、第１プリセット領域ＡＲ１１と第３プリセット領域ＡＲ１３はグレーアウトで表示され、設定対象ではないことが示される。
上記のようにグレーアウトになっている第１プリセット領域ＡＲ１１と第３プリセット領域ＡＲ１３に対しては、プリセット領域の選択操作としてのタッチ操作を行うことができる。
【００６７】
具体的に、図６〜図９のいずれかの状態における第１プリセット領域ＡＲ１１と第３プリセット領域ＡＲ１３とのうち、第１プリセット領域ＡＲ１１に対する操作を行った場合、レイアウト設定画面は、図１１に示す状態に変化する。
図１１のレイアウト設定画面では、タッチ操作が行われた第１プリセット領域ＡＲ１１が設定対象としてアクティブな状態となり、第２プリセット領域ＡＲ１２と第３プリセット領域ＡＲ１３とが設定対象ではないことを示すグレーアウトの状態となっている。
つまり、同図に示すレイアウト設定画面は、第１プリセット領域ＡＲ１１に対応する「トップエリア」のグループに対応するレイアウト設定を行うためのレイアウト設定画面である。
このように、本実施形態においては、レイアウト設定画面またはキー登録画面が表示されている状態のもとで、プリセットキー領域ＡＲ１におけるプリセット領域に対するタッチ操作を行うことによって、タッチ操作が行われたプリセット領域に対応するグループを設定対象とするレイアウト設定画面に切り替えられるようになっている。
【００６８】
図１１のように第１プリセット領域ＡＲ１１が設定対象としてアクティブとなったレイアウト設定画面が表示された状態では、図６〜図９により説明したのと同様の操作によって、第１プリセット領域ＡＲ１１のレイアウトと、第１プリセット領域ＡＲ１１におけるプリセットキーＫＹへの項目の割り当てなどを行うことができる。
【００６９】
図１２は、本実施形態におけるＰＯＳ端末装置１の内部構成を示すブロック図である。
なお、図１と同一部分には同一符号を付して、ここでの説明を省略する。
同図に示すＰＯＳ端末装置１は、ＣＰＵ（Central Processing Unit）１００、ハードディスク部１０２、ＲＡＭ（Random Access Memory）１０４、レシート印字部１０８、スキャナ部１１０、タッチパネル表示部１１２、キー操作部１１４、客用表示部１１６及びカードリーダ部１１８を備える。これらの各部は、システムバス１２０によりデータの入出力が可能なように接続されている。
【００７０】
ＣＰＵ１００は、ＰＯＳ端末装置１としての機能を実現するための各種制御を実行する。
本実施形態におけるＣＰＵ１００は、設定手段、制御手段、領域選択手段、設定選択手段としての各機能を有する。
【００７１】
設定手段は、タッチパネル表示部１１２に表示される上位プリセットキー（第１プリセット領域に配置されるプリセットキーＫＹ）の操作に応じて上位プリセットキーが対応するグループに属する項目の下位プリセットキー（第２プリセット領域に配置されるプリセットキーＫＹ）が表示される第１下位表示と、上位プリセットキーの操作に応じて上位プリセットキーが対応するグループに属する情報画像の表示が行われる第２下位表示とのいずれが行われるべきかを設定する。
【００７２】
制御手段は、上位プリセットキーが配置される第１プリセット領域と、第１下位表示または第２下位表示が行われる第２プリセット領域とを同一画面に表示させる。
【００７３】
制御手段は、第１下位表示のもとで商品が対応付けられた下位プリセットキーに対する操作に応じた商品の登録に関連する情報が表示される商品登録関連情報領域をさらに同一画面に表示させる。
【００７４】
設定手段は、情報画像としての背景画像を指定するとともに、背景画像の上に配置される下位プリセットキーが非表示となるように設定を行うことで、第２下位表示が行われるようにする。
【００７５】
また、領域選択手段は、第１プリセット領域と第２プリセット領域とを少なくとも含む同一画面における複数のプリセット領域のうちから１つを選択し、設定手段は、選択手段により選択されたプリセット領域の設定が可能なように制御する。
【００７６】
また、設定選択手段は、プリセット領域の設定が可能な状態のもとで、プリセット領域におけるプリセットキーのレイアウト設定と、プリセット領域においてレイアウトされたプリセットキーに対応付けて項目（メニュー）を設定するキー登録設定とのいずれか一方が画面上で選択されるようにし、設定手段は、設定選択手段によりレイアウト設定が選択された場合に、プリセット領域におけるプリセットキーのレイアウトを設定可能なように制御し、設定選択手段によりキー登録設定が選択された場合に、プリセット領域におけるプリセットキーへの項目の対応付けを設定可能なように制御する。
なお、上記のＣＰＵ１００としての各機能は、ＣＰＵ１００がプログラムを実行することにより実現される。
【００７７】
ハードディスク部１０２は、ＣＰＵ１００が利用する各種の情報を記憶する。例えば、ハードディスク部１０２は、ＣＰＵ１００が実行するプログラムのほか、商品マスタや商品登録画面設定情報を記憶する。
【００７８】
商品マスタは、店舗にて扱われる各商品（メニュー）のＩＤ、商品名、価格などの項目を含む商品情報を格納するファイルである。商品マスタは、店舗にて扱うメニュー内容や価格の変更などに応じて適宜変更される。
【００７９】
商品登録画面設定情報は、例えば図２〜図４にて説明した商品登録画面をＰＯＳ端末装置１が表示させるのに利用する情報である。商品登録画面設定情報には、図５〜図１１にて説明したようにしてオペレータが操作を行うことによって設定された内容が反映される。
【００８０】
ＲＡＭ１０４は、ＣＰＵ１００に対応する主記憶装置であり、ＣＰＵ１００が処理を実行する際の作業領域として利用される。
【００８１】
図１３は、ハードディスク部１０２が記憶する商品マスタの一例として、本実施形態における商品リスト画面の表示に対応した内容を示している。
同図に示すように、商品マスタは、店舗にて扱われる商品（メニュー）ごとに対応して、商品ＩＤ、商品名及び価格の情報を格納する。
前述のように、第２プリセット領域におけるプリセットキーＫＹにメニューを対応付けるにあたって表示される商品リスト画面は、商品マスタを利用して生成される。
【００８２】
図１４は、ハードディスク部１０２が記憶する商品登録画面設定情報の内容例を示している。同図に示す商品登録画面設定情報は、グループごとに、グループＩＤ、グループ名、レイアウト情報、背景画像、キー登録情報の各情報を格納する領域が対応付けられた構造である。
【００８３】
グループＩＤの領域は、対応のグループを一意に示すグループＩＤを格納する。
グループ名の領域は、対応のグループに付与されたグループ名を格納する。
【００８４】
レイアウト情報の領域は、対応のグループに属する項目が提示される領域についてのレイアウトを示すレイアウト情報を格納する。レイアウト情報は、図６、図７のレイアウト設定画面に対する操作によって設定される内容を格納する情報である。同図においては、ファイル形式のレイアウト情報が格納される場合を例に挙げている。
【００８５】
背景画像の領域は、対応のグループに属する項目が提示される領域に設定される背景画像のデータを格納する。なお、同図において「ｎｕｌｌ」が格納されている背景画像の領域は、背景画像が設定されていないことを示す。
キー登録情報は、対応のグループに属する項目が提示される領域における各プリセットキーと項目との対応付けの内容を示す。
【００８６】
図１４の商品登録画面設定情報において、グループＩＤが「０００１」、グループ名が「トップエリア」のグループは、図２〜図４に例示した第１プリセット領域ＡＲ１１を形成するグループである。この「トップエリア」のグループにおけるレイアウト情報「layout0001.xxx」は、図２〜図４に示した第１プリセット領域ＡＲ１１のレイアウトを示す。
つまり、レイアウト情報「layout0001.xxx」は、第１プリセット領域ＡＲ１１の位置、サイズを示す。また、レイアウト情報「layout0001.xxx」は、第１プリセット領域ＡＲ１１において図２〜図４に示したように２行６列によりプリセットキーＫＹが配列されるべきことを示す。
また、「トップエリア」のグループにおける背景画像の領域は「ｎｕｌｌ」とされ、背景画像が設定されていないことを示す。
また、「トップエリア」のグループにおけるキー登録情報は、図２〜図４に示したようにプリセットキーＫＹ（button1・・・button4・・・button7・・・）ごとに「メイン画面」、「フライドポテト」、「値引きマニュアル」などの項目が対応付けられていることを示す。
【００８７】
また、図１４の商品登録画面設定情報において、グループＩＤが「０００２」、グループ名が「メイン画面」のグループは、第１プリセット領域ＡＲ１１に配置される「メイン画面」のプリセットキーが対応するグループである。
この「メイン画面」のグループにおけるレイアウト情報「layout0002.xxx」は、図２に示した第２プリセット領域ＡＲ１２のレイアウトを示す。つまり、レイアウト情報「layout0002.xxx」は、「メイン画面」のプリセットキーＫＹが操作されたときの第２プリセット領域ＡＲ１２の位置、サイズを示す。また、レイアウト情報「layout0002.xxx」は、第２プリセット領域ＡＲ１２において図２に示したように６行６列によりプリセットキーＫＹが配列されるべきことを示す。
また、「メイン画面」のグループにおける背景画像の領域は「ｎｕｌｌ」とされ、背景画像が設定されていないことを示す。
また、「メイン画面」のグループにおけるキー登録情報は、図２に示したように、第２プリセット領域ＡＲ１２におけるプリセットキーＫＹ（button1，button2，button3・・・）ごとに順次、「ミートソース」、「チーズピザ」、「パスタランチセット」・・・などの項目が対応付けられていることを示す。
【００８８】
また、図１４の商品登録画面設定情報において、グループＩＤが「０００５」、グループ名が「フライドポテト」のグループは、第１プリセット領域ＡＲ１１に配置される「フライドポテト」のプリセットキーが対応するグループである。
この「フライドポテト」のグループにおけるレイアウト情報「layout0005.xxx」は、図３に示したように「フライドポテト」のグループが選択されているときの第２プリセット領域ＡＲ１２のレイアウトを示す。
また、「フライドポテト」のグループにおける背景画像の領域は「ｎｕｌｌ」とされ、背景画像が設定されていないことを示す。
また、「フライドポテト」のグループにおけるキー登録情報は、図３に示したように第２プリセット領域ＡＲ１２における１行３列のプリセットキーＫＹ（button1，button2，button3）ごとに順次、「フライドポテトＬサイズ」、「フライドポテトＭサイズ」、「フライドポテトＳサイズ」の各項目が対応付けられていることを示す。
【００８９】
また、図１４の商品登録画面設定情報において、グループＩＤが「０００８」、グループ名が「値引きマニュアル」のグループは、第１プリセット領域ＡＲ１１に配置される「値引きマニュアル」のプリセットキーが対応するグループである。
この「値引きマニュアル」のグループにおけるレイアウト情報「layout0008.xxx」は、図４に示したように、「値引きマニュアル」のグループが選択されているときの第２プリセット領域ＡＲ１２のレイアウトを示す。
また、「値引きマニュアル」のグループにおける背景画像の領域には「P001.jpg」の画像データが格納されていることが示される。ここで、「P001.jpg」の画像データは、図４の第２プリセット領域ＡＲ１２にて表示されている情報画像の画像データである。
また、「値引きマニュアル」のグループにおけるキー登録情報は、図４に示されるように、第２プリセット領域ＡＲ１２におけるプリセットキーＫＹが非表示となる状態に対応した設定内容を有する。
【００９０】
前述のように、プリセット領域におけるプリセットキーＫＹを非表示とする設定は、例えば、プリセット領域において１つのプリセットキーＫＹを配置する設定としたうえで、このプリセットキーＫＹには項目を対応付けないように設定する。この設定はキー登録情報に反映される。
具体的に、同図の商品登録画面設定情報における「値引きマニュアル」のグループの場合であれば、レイアウト情報「layout0008.xxx」により、第２プリセット領域ＡＲ１２において１行１列による１つのプリセットキーＫＹが配置されるべきことが指定される。また、キー登録情報は、同図において「button1:null」と示されているように、１行１列による１つのプリセットキーＫＹについて項目が設定されていないことが指定される。
なお、プリセット領域におけるプリセットキーＫＹを非表示とする設定は、上記の例に限定されない。例えば、プリセット領域において配置されるプリセットキーＫＹの数を「０（０行０列）」として設定するようにしてもよい。
【００９１】
なお、商品マスタと商品登録画面設定情報は、例えばストアコントローラなどのＰＯＳ端末装置１の上位の情報処理装置などのように、ＰＯＳ端末装置１の外部にて記憶されるようにしてもよい。
【００９２】
続いて、図１５のフローチャートを参照して、商品登録画面の設定に関連してＰＯＳ端末装置１が実行する処理手順例について説明する。
ステップＳ１０１：ＰＯＳ端末装置１においてＣＰＵ１００は、タッチパネル表示部１１２に表示されたグループリスト画面（図５）に対して行われる、設定対象のグループの選択操作を受け付ける。
ステップＳ１０２：ＣＰＵ１００は、ステップＳ１０１にて受け付けたグループの選択操作により選択されたグループのレイアウト設定画面をタッチパネル表示部１１２に表示する。
【００９３】
ステップＳ１０３：ＣＰＵ１００は、レイアウト設定画面が表示された状態のもとで、レイアウト設定に関する操作が行われたか否かについて判定する。レイアウト設定に関する操作は、例えば図６の付帯情報画面領域ＡＲ２における第１レイアウト操作画面、または、図７の付帯情報画面領域ＡＲ２における第２レイアウト操作画面に対する操作である。
ステップＳ１０４：ＣＰＵ１００は、レイアウト設定画面に対して行われた操作に応じて、レイアウトを設定する。具体的には、ＣＰＵ１００は、レイアウト設定画面に対して行われた操作により設定されたプリセット領域のレイアウトが反映されるように、商品登録画面設定情報に格納される対応のグループのレイアウト情報を変更する。また、レイアウト設定に関する操作として、背景画像を設定する操作が行われた場合には、商品登録画面設定情報における対応のグループの背景画像の領域に、背景画像として設定された画像データを格納する。
【００９４】
ステップＳ１０５：レイアウト設定画面に対する操作が行われない場合、ＣＰＵ１００は、キー登録画面への移行を指示する操作が行われたか否かについて判定する。キー登録画面への移行を指示する操作は、図６のキー登録ボタンＢＴ２に対する操作である。
ステップＳ１０６：キー登録画面への移行を指示する操作が行われた場合、ＣＰＵ１００は、図８に例示したように対応のグループについてのキー登録画面を表示させる。
ステップＳ１０７：ＣＰＵ１００は、キー登録画面が表示された状態のもとで、キー登録に関する操作が行われたか否かについて判定する。キー登録に関する操作は、図８にて説明したように、例えば商品リストボタンＢＴ３１に対する操作により商品リスト画面を表示させて、プリセットキーＫＹに商品（メニュー）や背景画像などの項目を設定する操作である。
ステップＳ１０８：キー登録に関する操作が行われたのに応じて、ＣＰＵ１００は、操作に応じてプリセットキーＫＹに項目を設定する。ＣＰＵ１００は、プリセットキーＫＹへの項目の設定結果が反映されるように、商品登録画面設定情報が格納する対応のグループのキー登録情報を変更する。
【００９５】
ステップＳ１０９：ステップＳ１０７にてキー登録に関する操作が行われなかった場合、ＣＰＵ１００は、同じグループのレイアウト設定画面に移行する操作が行われたか否かについて判定する。同じグループのレイアウト設定画面に移行する操作は、例えば図８のようにキー登録画面が表示されている状態のもとでのレイアウトボタンＢＴ１に対する操作である。
ステップＳ１１０：レイアウト設定画面に移行する操作が行われた場合、ＣＰＵ１００は、これまでのキー登録画面の表示に代えて、例えば図６に例示したレイアウト設定画面を表示させる。
【００９６】
ステップＳ１１１：ステップＳ１０５においてキー登録画面に移行する操作が行われなかった場合、また、ステップＳ１０９においてレイアウト設定画面に移行する操作が行われなかった場合、ＣＰＵ１００は、以下の判定を行う。
つまり、ＣＰＵ１００は、現在におけるレイアウト設定またはキー登録の対象となっているプリセット領域とは異なる他のプリセット領域に対する操作が行われたか否かについて判定する。ここでの他のプリセット領域に対する操作は、具体的には、図６〜図９のいずれかの状態のもとであれば、第２プリセット領域ＡＲ１２以外の第１プリセット領域ＡＲ１１または第３プリセット領域ＡＲ１３に対するタッチ操作である。
ステップＳ１１２：他のプリセット領域に対する操作が行われた場合、ＣＰＵ１００は、これまでのグループに対応するレイアウト設定画面またはキー登録画面に変えて、操作されたプリセット領域に対応するグループのレイアウト設定画面の表示に移行させる。
【００９７】
ステップＳ１１３：ステップＳ１０４、Ｓ１０８、Ｓ１１０、Ｓ１１２のいずれかの処理を終了した後、あるいは、ステップＳ１１１にて他のプリセット領域に対する操作が行われないと判定された場合に以下の処理を実行する。つまり、ＣＰＵ１００は、設定終了に応じた操作が行われたか否かについて判定する。
設定終了に応じた操作が行われなかった場合、ＣＰＵ１００は、ステップＳ１０３に処理を戻す。そして、設定終了に応じた操作が行われるのに応じて、ＣＰＵ１００は、これまでの商品登録画面設定に関する処理を終了する。
【００９８】
続いて、図１６のフローチャートを参照して、ＰＯＳ端末装置１が商品登録画面の表示に関連して実行する処理手順例について説明する。
ステップＳ２０１：商品登録画面の表示の開始にあたり、ＣＰＵ１００は、ハードディスク部１０２に記憶されている商品登録画面設定情報を読み出す。
ステップＳ２０２：ＣＰＵ１００は、ステップＳ２０１にて読み出した商品登録画面設定情報のうち、第１プリセット領域ＡＲ１１に対応のグループの商品登録画面設定情報（レイアウト情報、背景画像、キー登録情報等）に基づいて、第１プリセット領域ＡＲ１１を表示する。
ステップＳ２０３：また、ＣＰＵ１００は、ステップＳ２０１にて読み出した商品登録画面設定情報のうち、第２プリセット領域ＡＲ１２に対応のグループの商品登録画面設定情報に基づいて、初期表示すべきことが指定されたグループに対応する第２プリセット領域ＡＲ１２を表示する。
ステップＳ２０４：また、ＣＰＵ１００は、ステップＳ２０１にて読み出した商品登録画面設定情報のうち、第３プリセット領域ＡＲ１３に対応のグループの商品登録画面設定情報に基づいて、第３プリセット領域ＡＲ１３を表示する。
ステップＳ２０５：ＣＰＵ１００は、付帯情報画面領域ＡＲ２において、会計画面を表示させる。初期表示の段階では、会計画面においては、特に登録された商品等の表示は行われていない。
上記のように、ステップＳ２０１〜Ｓ２０５の処理によって商品登録画面の初期表示が行われる。
【００９９】
ステップＳ２０６：商品登録画面が表示された後において、ＣＰＵ１００は、第１プリセット領域ＡＲ１１におけるプリセットキーＫＹが操作されたか否かについて判定する。
ステップＳ２０７：第１プリセット領域ＡＲ１１におけるプリセットキーＫＹが操作された場合、ＣＰＵ１００は、第１プリセット領域ＡＲ１１において操作されたプリセットキーに対応するグループの第２プリセット領域ＡＲ１２を表示させる。ステップＳ２０７における第２プリセット領域ＡＲ１２の表示にあたって、ＣＰＵ１００は、該当のグループについての商品登録画面設定情報を利用する。
【０１００】
ステップＳ２０８：ステップＳ２０６において、第１プリセット領域ＡＲ１１におけるプリセットキーＫＹが操作されないことが判定された場合、ＣＰＵ１００は、さらに以下の判定を行う。つまり、ＣＰＵ１００は、第２プリセット領域ＡＲ１２におけるプリセットキーＫＹが操作されたか否かについて判定する。
【０１０１】
ステップＳ２０９：第２プリセット領域ＡＲ１２におけるプリセットキーＫＹが操作された場合、ＣＰＵ１００は、操作されたプリセットキーＫＹに対応付けられた商品を登録する処理を実行する。
商品を登録する処理が行われるのに伴い、付帯情報画面領域ＡＲ２の会計画面においては、図２〜図４に示したように、登録された商品が、小計、合計などとともに示される。
【０１０２】
ステップＳ２１０：また、第２プリセット領域ＡＲ１２におけるプリセットキーＫＹが操作されなかった場合、ＣＰＵ１００は、精算に関する操作が行われたか否かについて判定する。
精算に関する操作が行われなかった場合、ＣＰＵ１００はステップＳ２０６に処理を戻す。
ステップＳ２１１：一方、精算に関する操作が行われた場合、ＣＰＵ１００は、操作に応じた精算処理を実行する。
ステップＳ２０７、Ｓ２０９またはステップＳ２１１の処理が終了した後、ＣＰＵ１００は、ステップＳ２０６に処理を戻す。
【０１０３】
なお、これまでの説明においては、商品登録と精算とを行うことのできるＰＯＳ端末装置１を例に挙げた。しかし、例えば、店員が商品登録の操作を行う商品登録装置と客が精算を行う精算装置とが分離されたシステムにおける商品登録装置などにも本実施形態の構成を適用できる。
また、本実施形態の構成は、例えば券売機にも適用することができる。券売機としては、例えば飲食店などに設置されて食券等を発券する券売機のほかに、飲食店以外の店舗に設置されて購入した商品の引き替え券などを発行する券売機などが含まれてよい。券売機に本実施形態の構成を適用すれば、例えば、メニューの注文や商品の購入を行おうとする客が券売機のタッチパネルに表示されるプリセットキーに対して操作を行うことで、例えば店舗で行われているサービスの告知などの情報画面を表示することが可能になる。
また、本実施形態の構成は、商品に貼付するラベルを発行するラベルプリンタにも適用できる。ラベルプリンタに本実施形態の構成を適用すれば、例えば、時間限定の値引きなどに応じた値段設定の仕方などを説明した情報画面を、店員のプリセットキーに対する操作に応じて表示させることができる。
【０１０４】
なお、上述のＰＯＳ端末装置１としての機能を実現するためのプログラムをコンピュータ読み取り可能な記録媒体に記録して、この記録媒体に記録されたプログラムをコンピュータシステムに読み込ませ、実行することにより上述のＰＯＳ端末装置１としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【０１０５】
１  ＰＯＳ端末装置、１００  ＣＰＵ、１０２  ハードディスク部、１０４  ＲＡＭ、１
０８  レシート印字部、１０９  レシート発行口、１１０  スキャナ部、１１２  タッチ
パネル表示部、１１４  キー操作部、１１６  客用表示部、１１８  カードリーダ部、１
２０  システムバス
【図１】
2019008837.tif 000003
【図２】
2019008837.tif 000004
【図３】
2019008837.tif 000005
【図４】
2019008837.tif 000006
【図５】
2019008837.tif 000007
【図６】
2019008837.tif 000008
【図７】
2019008837.tif 000009
【図８】
2019008837.tif 000010
【図９】
2019008837.tif 000011
【図１０】
2019008837.tif 000012
【図１１】
2019008837.tif 000013
【図１２】
2019008837.tif 000014
【図１３】
2019008837.tif 000015
【図１４】
2019008837.tif 000016
【図１５】
2019008837.tif 000017
【図１６】
2019008837.tif 000018